(57)【要約】【課題】フィルターの自動洗浄が可能で、フィルターまたはファンの取り外しなどのメンテナンス性が良く、かつ、デザイン性を向上させることができるレンジフードを提供することを目的とする。【解決手段】フィルター駆動モーター１０により回転する円盤状のフィルター１１と、フィルター駆動モーター１０を固定するフィルター固定板１２を設けて吸込口から排出口を結ぶ排気通風路内に斜めに設置し、フィルター固定板１２の下端の固定を外し、また、上端を支点として回転させて排気ファン６を取り出すスペースを設けることで、排気ファン６を取り外すことができる。また、排気ファン６を設置するスペースを広くすることができ、小径のシロッコファンなどを設置することが可能となるため、フィルター１１および排気ファン６のメンテナンス性が良く、かつ、デザイン性の良いレンジフードが得られる。【選択図】図２
2012220130.tif 000002
【特許請求の範囲】
【請求項１】
調理器の上方または周囲に設置し、油煙などを含んだ空気を吸込む吸込口と、屋外に連通した排出口と、排気送風用の排気ファンと排気モーターを内包した送風ケーシングを設け、前記吸込口の下流側に、フィルター駆動モーターにより回転する円盤状のフィルターと、前記フィルター駆動モーターを固定するフィルター固定板を設け、前記フィルター固定板は上端を支点とし、下端を着脱可能として前記吸込口から前記排出口を結ぶ排気通風路内に斜めに設置したことを特徴とするレンジフード。
【請求項２】
フィルターの下部を覆うように設け、水を溜めることができる洗浄タブを設けたことを特徴とする請求項１に記載のレンジフード。
【請求項３】
フィルターに向かい水を噴射するノズルを設けたことを特徴とする請求項２に記載のレンジフード。
【発明の詳細な説明】
【技術分野】
【０００１】
本発明は、フィルターの自動洗浄が可能なレンジフードに関するものである。
【背景技術】
【０００２】
従来、この種のレンジフードは、フィルターを水に浸漬し回転させることで、フィルターを洗浄して本体内部を清潔に保つことができるものが知られている（例えば、特許文献１参照）。
【０００３】
以下、そのレンジフードについて、図４を参照しながら説明する。
【０００４】
フィルター１０１の一部を洗浄タンク１０２に浸漬させるよう構成して、洗浄タンク１０２に水を溜め、フィルター１０１を浸漬し、駆動モーター１０３により回転させることで、汚れをフィルター１０１の表面から落とし、内部を清潔に保つことができる。
【先行技術文献】
【特許文献】
【０００５】
【特許文献１】特開２００８−２０９１０８号公報
【発明の概要】
【発明が解決しようとする課題】
【０００６】
このような従来のレンジフードにおいては、回転するフィルターなどがあることでフード内のスペースが狭くなり、フィルターおよびファンの取り外しなどメンテナンス性が悪くなる。また、ファンも薄型かつ大径のものを採用せざるを得なく、レンジフード上部のダクト配管など、施工性を考慮した場合、ファンの外形がフードの下部に突き出た構造となるためデザイン性が悪くなる、という課題を有していた。
【０００７】
そこで本発明は、上記従来の課題を解決するものであり、フィルターの自動洗浄が可能で、フィルターまたはファンの取り外しなどのメンテナンス性が良く、かつ、デザイン性を向上することができるレンジフードを提供することを目的とする。
【課題を解決するための手段】
【０００８】
そして、この目的を達成するために、本発明は、調理器の上方または周囲に設置し、油煙などを含んだ空気を吸込む吸込口と、屋外に連通した排出口と、排気送風用の排気ファンと排気モーターを内包した送風ケーシングを設け、前記吸込口の下流側に、フィルター駆動モーターにより回転する円盤状のフィルターと、前記フィルター駆動モーターを固定するフィルター固定板を設け、前記フィルター固定板は上端を支点とし、下端を着脱可能として前記吸込口から前記排出口を結ぶ排気通風路内に斜めに設置したものであり、これにより所期の目的を達成するものである。
【発明の効果】
【０００９】
本発明によれば、調理器の上方または周囲に設置し、油煙などを含んだ空気を吸込む吸込口と、屋外に連通した排出口と、排気送風用の排気ファンと排気モーターを内包した送風ケーシングを設け、前記吸込口の下流側に、フィルター駆動モーターにより回転する円盤状のフィルターと、前記フィルター駆動モーターを固定するフィルター固定板を設け、前記フィルター固定板は上端を支点とし、下端を着脱可能として前記吸込口から前記排出口を結ぶ排気通風路内に斜めに設置したことにより、フィルターおよびフィルター固定板が斜めに取り付いているため、フィルターの取り外しが容易であり、また、フィルター固定板の下端を取り外し、上端を支点として回転させ排気ファンを取り出すスペースを設けることで、排気ファンを取り外すことができる。また、排気ファンを設置するスペースを広くすることができ、厚みのある小径のシロッコファンなどを設置することが可能となるため、フィルターおよび排気ファンの取り外しなどのメンテナンス性が良く、かつ、デザイン性を向上させることができる、という効果を得ることができる。
【図面の簡単な説明】
【００１０】
【図１】本発明の実施の形態１のレンジフードの側面を示す構成図
【図２】同レンジフードの側面詳細構成図
【図３】同レンジフードのお手入れ時を示す側面構成図
【図４】従来のレンジフードを示す側面構成図
【発明を実施するための形態】
【００１１】
本発明の請求項１記載のレンジフードは、調理器の上方または周囲に設置し、油煙などを含んだ空気を吸込む吸込口と、屋外に連通した排出口と、排気送風用の排気ファンと排気モーターを内包した送風ケーシングを設け、前記吸込口の下流側に、フィルター駆動モーターにより回転する円盤状のフィルターと、前記フィルター駆動モーターを固定するフィルター固定板を設け、前記フィルター固定板は上端を支点とし、下端を着脱可能として前記吸込口から前記排出口を結ぶ排気通風路内に斜めに設置したという構成を有する。これにより、フィルターおよびフィルター固定板が斜めに取り付いているため、フィルターの取り外しが容易であり、また、フィルター固定板の下端を取り外し、上端を支点として回転させ排気ファンを取り出すスペースを設けることで、排気ファンを取り外すことができる。また、排気ファンを設置するスペースを広くすることができ、厚みのある小径のシロッコファンなどを設置することが可能となるため、フィルターおよび排気ファンの取り外しなどのメンテナンス性が良く、かつ、デザイン性を向上させることができる、という効果を奏する。
【００１２】
また、フィルターの下部を覆うように設け、水を溜めることができる洗浄タブを設けた、という構成にしてもよい。これにより、洗浄タブに水を溜めフィルターの一部を水に浸し、油などを浮き上がらせて落としやすくするとなるので、洗浄効果を向上することができる、という効果を奏する。
【００１３】
また、フィルターに向かい水を噴射するノズルを設けた、という構成にしてもよい。
【００１４】
これにより、ノズルからフィルターに向かって水を噴射することで、フィルターに付着している油に水をぶつけて衝撃で油を吹きとばすことができるので、更に洗浄効果を向上することができる、という効果を奏する。
【００１５】
以下、本発明の実施の形態について図面を参照しながら説明する。
【００１６】
（実施の形態１）
図１および図２に示すように、調理器１の上方または周囲に設置され、調理時に発生する油煙や周囲に浮遊する埃などを含んだ空気を吸込む吸込口２を設けたフード３を設置し、屋外に連通する排出口４を設けたファンボックス５を備え、ファンボックス５の内側に排気送風用の排気ファン６と排気モーター７を内包した送風ケーシング８を設ける。排気ファン６は例えばシロッコファンで構成され、吸込口２から排出口４を結ぶ排気通風路９を形成する。また、吸込口２の排気流の向きに対して下流側に、フィルター駆動モーター１０により回転する円盤状のフィルター１１と、フィルター駆動モーター１０を固定するフィルター固定板１２を設け、フィルター固定板１２は重力に対して上端を支点とし下端を着脱可能として、排気通風路９内に斜めに設置される。フィルター固定板１２の上端は、例えばファンボックス５の内部に設けられた引掛部１３に引っ掛ける構成とする。フィルター固定板１２の下端はラッチなどを用いて固定する構成とする。なお、ねじを用いて固定する構成としてもよい。また、ファンボックス５の下面にはフィルター１１にて捕集された油などを回収する廃棄物容器１４を設ける。
【００１７】
このような構成によれば、調理時において排気ファン６の運転により油煙や埃は吸込口２からフード３内に吸込まれ、フィルター１１にて捕集される。フィルター１１に付着した油などを取り除くには、フィルター１１をフィルター駆動モーター１０によって高速で回転させ、遠心力によって油をフィルター１１から取り除き、取り除かれた油はファンボックス５の内部をつたい、最終的にはファンボックス５下面の廃棄物容器１４へと回収される。また、掃除などのメンテナンス時において、フィルター１１の取り外しは、フィルター１１が床面を向くように斜めに取り付いていることでフード３下部からでも容易にフィルター１１を視認することができ、フィルター１１が取りやすくなることでメンテナンスを簡単に行うことができる。また、排気ファン６の取り外し時には、図３に示すように、フィルター固定板１２下端の固定を解除し、フィルター固定板１２上端を支点として回転させ、フィルター固定板１２を鉛直とする。そして、フィルター固定板１２と送風ケーシング８との間に出来たスペースにより排気ファン６をフィルター固定板１２方向に移動させ、吸込口２より取り出すことができる。このため、フィルター１１および排気ファン６の取り外しなどのメンテナンス性を良くすることができる。また、フィルター１１およびフィルター固定板１２が床面を向くように斜めに取り付いているため、排気ファン６を設置するスペースを広くすることができ、厚みのある小径のシロッコファンなどを設置することが可能となることで、フード３の下面をフラットにしてデザイン性を良くすることができる。また、その他の利点としては、小径のシロッコファンなどを設置することでファンボックス５の小型化が可能となるため、レンジフード上部のダクト配管のスペースを確保できるなど、施工性の向上が挙げられる。さらに、フィルター１１が床面を向くように斜めに設けられることで、排気ファン６とフィルター１１の距離を離すことができ、フィルター１１を通ることで流れが乱されたまま排気ファン６に吸い込まることが無くなり、騒音の低減も図ることができる。
【００１８】
また、フィルター１１の下部を覆い、水を溜めることができる洗浄タブ１５と洗浄タブ１５で使用する水を溜める給水タンク１６、水を供給する給水手段１７を設けた、という構成にしてもよい。これによりフィルター１１に付着した油などを取り除く際に、給水タンク１６から給水手段１７によって洗浄タブ１５に水を溜め、フィルター１１の一部を水に浸し、油などを浮き上がらせて落としやすくでき、洗浄効果を向上することができる。
【００１９】
また、フィルター１１に向かい水を噴射するノズル１８を設けた、という構成にしてもよい。これによりフィルター１１に付着した油などを取り除く際に、給水タンク１６から給水手段１７によってノズル１８へ水を供給し、ノズル１８からフィルター１１に向かって水を噴射することで、フィルター１１に付着している油に水をぶつけて衝撃で油を吹きとばすことができるので、更に洗浄効果を向上することができる。
【００２０】
なお、実施の形態１において、フィルター１１の洗浄に水を用いたが、お湯やぬるま湯、または洗浄効果を向上させる他の液体を用いれば更に洗浄能力を向上させることができる。
【産業上の利用可能性】
【００２１】
本発明にかかるレンジフードは、フィルターの自動洗浄が可能で、フィルターまたは排気ファンの取り外しなどのメンテナンス性が良く、かつ、デザイン性を向上することができるものであるので、汚れをフィルターで捕集する排気装置として有用である。
【符号の説明】
【００２２】
１    調理器
２    吸込口
３    フード
４    排出口
５    ファンボックス
６    排気ファン
７    排気モーター
８    送風ケーシング
９    排気通風路
１０  フィルター駆動モーター
１１  フィルター
１２  フィルター固定板
１３  引掛部
１４  廃棄物容器
１５  洗浄タブ
１６  給水タンク
１７  給水手段
１８  ノズル
【図１】
2012220130.tif 000003
【図２】
2012220130.tif 000004
【図３】
2012220130.tif 000005
【図４】
2012220130.tif 000006